(57)【要約】      （修正有）【課題】音響機器及び楽器に用いられる、満足できる音質の改善を図ることができる支持体（共鳴体）を提供する。【解決手段】共鳴体１は、中央に孔３を設けてもよく、円柱形の共鳴体１の少なくとも一方の表面に外周側から中心に向かう複数の凹溝２を有する。孔３を設けない場合は、中心に向かう凹溝２は、互いに中心で交わらず、孔３を設けた場合は、凹溝２は孔３に連通しない。共鳴体１の素材は、フェノール樹脂系複合材または金属体を使用し、特にマイクロポーラス構造を有する多孔質充填材を配合したフェノール系樹脂が好ましい。【選択図】図１
2018133780.tif 000002
【特許請求の範囲】
【請求項１】
音響機器・楽器に使用する円柱形の共鳴体であって、中央に孔を設けてもよく、少なくとも１方の表面に外周側から中心に向かう複数の凹溝を有し、孔を設けない場合は、中心に向う凹溝は互いに中心で交わらず、孔を設けた場合は、凹溝が孔に連通することがないことを特徴とする音響機器・楽器用共鳴体。
【請求項２】
上記凹溝が３〜８本であることを特徴とする請求項１に記載の音響機器・楽器用共鳴体。
【請求項３】
上記凹溝の長さが直径の３０〜４０％であることを特徴とする請求項１または２に記載の音響機器・楽器用共鳴体。
【請求項４】
上記凹溝が三角形、台形またはU字形からなる断面形状を有することを特徴とする請求項１〜３に記載の音響機器・楽器用共鳴体。
【請求項５】
上記凹溝により扇形が形成され、該扇形は、外周または外周近傍を頂点とし中心に向って傾斜していることを特徴とする請求項１〜４のいずれかに記載の音響機器・楽器用共鳴体。
【請求項６】
上記扇形と凹溝とで形成される外周端上部の角を加工し、角を取ったことを特徴とする請求項５に記載の音響機器・楽器用共鳴体。
【請求項７】
上記共鳴体が、フェノール樹脂系複合材または金属体からなることを特徴とする請求項１〜６のいずれかに記載の音響機器・楽器用共鳴体。
【発明の詳細な説明】
【技術分野】
【０００１】
本発明は、本発明は音響機器及び楽器に用いられる共鳴体に関する。
【背景技術】
【０００２】
音響機器や楽器は、載置する部材や人体からの跳ね返り振動を受け、音質の劣化を生じたり、本来求める設計どおりの音質から逸脱してしまうことが知られている。また、音響機器や楽器を設置する部材の材質や強度の違いによっても音色が損なわれてしまう。
【０００３】
一般に、音響機器やピアノ等には振動を減衰させる目的でインシュレータが使われているが、減衰によって音質が変化してしまう現象がみられることなどから、音響特性を改善できる良質の部材の開発が待たれていた。
公知の音響機器用インシュレータ（特許文献１）においては、一定の改善が認められるものの満足できる音質は得られておらず、さらなる改良が求められていた。
【先行技術文献】
【特許文献】
【０００４】
【特許文献１】特開２０１６−８６４０８号公報
【発明の概要】
【発明が解決しようとする課題】
【０００５】
本発明は、上記課題を解決し、音響機器や楽器において満足できる音質の改善を図ることができる支持体（共鳴体）を提供することを課題とする。
【課題を解決するための手段】
【０００６】
本発明は、音響機器や楽器から発生する振動周波数と共鳴させることで音圧を倍増させるとともに、音色を忠実に再現することを可能とする支持体（共鳴体）を提供するものである。具体的には、円柱形の共鳴体本体表面に複数の凹溝を形成した形状であることを主たる特徴とし、以下の技術を基礎とする。
【０００７】
（１）音響機器・楽器に使用する円柱形の共鳴体であって、中央に孔を設けてもよく、少なくとも１方の表面に外周側から中心に向かう複数の凹溝を有し、孔を設けない場合は、中心に向う凹溝は互いに中心で交わらず、孔を設けた場合は、凹溝が孔に連通することがないことを特徴とする音響機器・楽器用共鳴体。
【０００８】
（２）上記凹溝が３〜８本であることを特徴とする（１）に記載の音響機器・楽器用共鳴体。
【０００９】
（３）上記凹溝の長さが直径の３０〜４０％であることを特徴とする（１）または（２）の音響機器・楽器用共鳴体。
【００１０】
（４）上記凹溝が三角形、台形またはＵ字形からなる断面形状を有することを特徴とする（１）〜（３）の音響機器・楽器用共鳴体。
【００１１】
（５）上記凹溝により扇形が形成され、該扇形は、外周または外周近傍を頂点とし中心に向って傾斜していることを特徴とする（１）〜（４）の音響機器・楽器用共鳴体。
【００１２】
（６）上記扇形と凹溝とで形成される外周端上部の角を加工し、角を取ったことを特徴とする（５）の音響機器・楽器用共鳴体。
【００１３】
（７）共鳴体が、フェノール樹脂系複合材または金属体からなることを特徴とする（１）〜（６）の音響機器・楽器用共鳴体。
【発明の効果】
【００１４】
本発明の共鳴体は、フェノール樹脂系複合材や金属材を本発明の形状に加工して用いることで、音響機器や楽器から発生する振動周波数と共鳴させ音圧を倍増させるとともに、音色を忠実に再現することを可能とし、音響機器や楽器に使用した時、設置する部材や人間の体からの跳ね返り振動を受けても忠実に再現することができるという効果を奏する。
【図面の簡単な説明】
【００１５】
【図１】図１は、本発明の実施例に係る共鳴体の形状を示す図である。
【図２】図２は、図１に示す共鳴体の断面を示す図である。
【図３】図３は、本発明の実施例に係る共鳴体の使用状態を示す図である。
【図４】図４は、比較例に係る部材の形状を示す図である。
【図５】図５は、他の比較例に係る部材の形状を示す図である。
【図６】図６は、実施例に使用した共鳴体（図１に対応）の写真である。
【図７】図７は、比較例に使用した共鳴体（図５に対応）の写真である。
【発明を実施するための形態】
【００１６】
本発明の共鳴体は、音響機器（アンプ、ＣＤプレーヤー、ＤＡＣ、ＢＤレコーダー、ＴＶ、クリーン電源、ＦＭ・ＡＭチューナー、グラフィックイコライザー、ＤＡＤ、レコードプレーヤー、ネットワークプレーヤー、カセットデッキ、ＤＡＴ等）および、楽器（ピアノ、バイオリン、ビオラ、チェロ、コントラバス等）を支持するための共鳴体として用いる。
【００１７】
本発明の共鳴体は、直径１０ｍｍφから８０ｍｍφの円柱形で、厚み５ｍｍから２５ｍｍの素材に、その少なくとも１方の表面に外周側から中心に向かう複数の凹溝を形成する。凹溝の数は３〜８本とし、４つの凹溝を有するものが、跳ね返り振動の抑制の効果、製造の効率などの点から好適である。
【００１８】
上記凹溝を設けた面を床などの載置部材や人体などと接するようにして使用する。
凹溝は、中央に孔を設けない場合は、互いに中心で交わらない形状とし、孔を設けた場合は、凹溝が孔に連通することがない形状とする。
【００１９】
上記凹溝は、長さが直径の３０〜４０％であり、その断面形状は、三角形、台形またはＵ字形から選ばれる形状とする。
【００２０】
上記凹溝を設けることにより共鳴体表面には扇形が形成され、該扇形は外周または外周近傍を頂点とし中心に向って傾斜している。扇形の頂点は円の外周から内側に向かって０〜１０ｍｍに位置し（図２：Ａ参照）、中心からみて０．０５〜０．５ｍｍの高さの凸部を形成する（図２：Ｂ参照）。
【００２１】
上記扇形外周端と凹溝とで形成される外周端上部の角を加工し、角を取る（図１：５）。
４本の凹溝を設けた場合、４つの扇形が形成され、８つの角を加工することになる。
【００２２】
素材としては、フェノール樹脂系複合材、あるいは、鉄・銅・真鍮・アルミ等の金属材を用いる。
フェノール樹脂系複合材として、特許第５６５４１５０号公報に記載の複合材を用いることができる。
【００２３】
フェノール樹脂系複合材は、熱硬化性樹脂と無機充填材等から成る樹脂組成物を成型したものであって、特に充填材の一部に多孔質充填材を使用し、成型材内部に連通した微細な気孔が無数に存在するものが好ましい。成型材の比重を１．５〜５．０、気孔率を２〜２０％、平均気孔径を０．１〜３．０μｍとしたものが好適である。材料の比重は、樹脂組成物に添加する充填材の種類を適宜選択することにより調整する。
【００２４】
上記多孔質充填材としては、平均細孔直径が２ｎｍ以下のマイクロポーラス構造を有する多孔質充填材、平均細孔直径が２ｎｍを超え５０ｎｍ未満のメソポーラス構造を有する多孔質充填材、平均細孔直径が５０ｎｍ以上のマクロポーラス構造を有する多孔質充填材を使用することができる。
【００２５】
この中でもマイクロポーラス構造を有する多孔質充填材は、使用することで多孔質充填材の添加量を抑えることができ、他の充填材の添加量の調整の自由度が増し、比重を調整しやすくなるので好ましい。
【００２６】
マイクロポーラスを有する多孔質充填材としては、ゼオライト、活性炭、ポーラスシリカ、ポーラスアルミナが挙げられ、これらのうち１種又は２種以上を選択して使用することができる。
【００２７】
熱硬化性樹脂としては、ストレートフェノール樹脂や、フェノール樹脂をカシューオイルやシリコーンオイル、アクリルゴム等の各種エラストマーで変性した樹脂、フェノール類とアラルキルエーテル類とアルデヒド類とを反応させて得られるアラルキル変性フェノール樹脂、フェノール樹脂に各種エラストマー、フッ素ポリマー等を分散させた熱硬化性樹脂等が挙げられ、これらは１種を単独で又は２種以上を組み合わせて使用することができる。
【００２８】
熱硬化性樹脂を樹脂組成物全量に対し５〜２５重量％、充填材の一部に多孔質充填材を樹脂組成物全量に対し１０〜３５重量％含有したものが好ましい。
【実施例】
【００２９】
以下、実施例及び比較例を示し、本発明を具体的に説明するが、本発明は下記の実施例に制限されるものではない。
【００３０】
〔実施例１〜６、比較例１〜１２〕
［共鳴体の製造］
表１に示す素材を用い、実施例及び比較例の各形状の共鳴体を成型し、それぞれの音質について評価を試みた。フェノール樹脂系複合材の組成については表２に示した。
【００３１】
【表１】
2018133780.tif 000003
【００３２】
【表２】
2018133780.tif 000004
【００３３】
実施例１〜６（図１の形状）は、直径５０ｍｍφ、厚み２２ｍｍの円柱形で、表面に外周側から中心に向かう４本の断面が三角形の凹溝を有し、中心に孔が設けられているが、凹溝は孔に連通していない。また外周から５ｍｍの位置に頂点を有する４つの高さ０．１５ｍｍの凸状扇形が形成されており、扇形外周端と凹溝により形成された８つ角は、加工により角が取られている。
【００３４】
比較例１〜６（図４の形状）は、直径５０ｍｍφ、厚み２２ｍｍの円柱形で、４本の凹溝が中心の孔に連通している。また、外周から１５ｍｍの位置に頂点を有する４つの高さ０．１５ｍｍの凸状扇形が形成されており、凹溝の外周端上部の角は取られていない。
比較例７〜１２（図５の形状）は、直径５０ｍｍφ、厚み２２ｍｍの円柱形で４本の溝は中心の開口部（孔）に連通しており、平面上扇形の上にフェルトが載置されている。
【００３５】
［機器音質性能評価］
音響機器での評価は、一般家庭の和室を用いた。
音響設備は、プリメインアンプ（Accuphase E560、Marantz PM7003）、ＤＡＣ（Esoteric N05、Pioneer U05）、ＦＭチューナー（KENWOOD L01T）、ＣＤプレーヤー（Accuphase DP550、TEAC RWD280）、レコードプレーヤー（Victor QLY7）、カセットデッキ（Nakamichi CR50）、ＤＡＴ（TASCAM DA25）、クリーン電源（Accuphase PS520）、スピーカー（FOSTEX GX100Limited、GX100、JBL L26、Onkyo D092TX）、パソコンＴＶ（富士通FMV DESKPOWER）、ＢＤレコーダー（Panasonic DMRBR590）を用い、共鳴体を機器の裏側に入れ、音質の変化を調べた。
【００３６】
［楽器音質性能評価］
チェロ、コントラバス、グランドピアノ(カワイ)について、楽器の下に敷いて音質の変化を調べた。
【００３７】
［評価方法］
評価項目は、(1)「不快な低周波振動」、(2)「心地よい自然な響き」とし、(2)については更に「中低音の伸び」と「高音域の伸び」と「各楽器、声楽本来の音質と伸び」と「音の立体感」とした。
【００３８】
［評価曲］
評価曲は、使用楽器が強調される、周波数の異なる音源を用意し、総合評価とした。
・ニューミュージック(声、ギター、ベース、ドラム:30Hz〜18kHz:中心400Hz〜3kHz)
・ジャズ(ピアノ:30Hz〜5kHz:中心300Hz〜2kHz)
・クラシック(管弦楽:100Hz〜4kHz:中心300Hz〜2kHz)
・ロック(ギター、ベース、ドラム、キーボード:40Hz〜18kHz:中心100Hz〜1kHz)
【００３９】
［評価者］
評価者として、嗜好、性別、年齢(２２〜６２才)の異なる２０名を任意に選び、結果の平均を取った。音響性能の評価基準は次のとおりである。
◎：１５〜２０人が良いと評価
○：１０〜１４人が良いと評価
△：５〜９人が良いと評価
×：０〜４人が良いと評価
【００４０】
上記各評価方法により得た、実施例及び比較例に係る共鳴体の評価結果を、表３〜５に示す。
【００４１】
【表３】
2018133780.tif 000005
【００４２】
【表４】
2018133780.tif 000006
【００４３】
【表５】
2018133780.tif 000007
【００４４】
表３〜５の評価結果から、本発明に係る形状の共鳴体を使用することによって、比較した他の形状のものに比べ、不快な低周波振動が軽減され、心地よい自然な響きが得られるというきわめて良好な結果が得られていることがみてとれる。さらに、中低音及び高音域の伸び、各楽器、声楽本来の音質と伸び、音の立体感についても良好な結果が得られている。
【産業上の利用可能性】
【００４５】
本発明の共鳴体は、音響機器、楽器に使用した時、床などの載置部材や人体からの跳ね返り振動を受けても一定の設計通りの音質を保つことができるという効果を奏し、音響機器（アンプ、ＣＤプレーヤー、ＤＡＣ、ＢＤレコーダー、ＴＶ、クリーン電源、ＦＭ・ＡＭチューナー、グラフィックイコライザー、ＤＡＤ、レコードプレーヤー、ネットワークプレーヤー、カセットデッキ、ＤＡＴ等）および、楽器（ピアノ、バイオリン、ビオラ、チェロ、コントラバス等）を支持するための共鳴体としてきわめて利用価値の高いものである。
【符号の説明】
【００４６】
１  共鳴体
２  凹溝
３  孔
４  扇形
５  角
６  フェルト
【図１】
2018133780.tif 000008
【図２】
2018133780.tif 000009
【図３】
2018133780.tif 000010
【図４】
2018133780.tif 000011
【図５】
2018133780.tif 000012
【図６】
2018133780.tif 000013
【図７】
2018133780.tif 000014
【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
音響機器・楽器に使用する円柱形の共鳴体であって、中央に孔を設けてもよく、少なくとも１方の表面に外周側から中心に向かう複数の凹溝を有し、孔を設けない場合は、中心に向う凹溝は互いに中心で交わらず、孔を設けた場合は、すべての凹溝が孔に連通することがないことを特徴とする音響機器・楽器用共鳴体。
【請求項２】
上記凹溝により扇形が形成され、該扇形は、外周または外周近傍を頂点とし中心に向って傾斜していることを特徴とする請求項１に記載の音響機器・楽器用共鳴体。
【請求項３】
上記扇形と凹溝とで形成される外周端上部の角を加工し、角を取ったことを特徴とする請求項２に記載の音響機器・楽器用共鳴体。
【手続補正２】
【補正対象書類名】明細書
【補正対象項目名】０００７
【補正方法】変更
【補正の内容】
【０００７】
（１）音響機器・楽器に使用する円柱形の共鳴体であって、中央に孔を設けてもよく、少なくとも１方の表面に外周側から中心に向かう複数の凹溝を有し、孔を設けない場合は、中心に向う凹溝は互いに中心で交わらず、孔を設けた場合は、すべての凹溝が孔に連通することがないことを特徴とする音響機器・楽器用共鳴体。
【手続補正３】
【補正対象書類名】明細書
【補正対象項目名】００１８
【補正方法】変更
【補正の内容】
【００１８】
上記凹溝を設けた面を床などの載置部材や人体などと接するようにして使用する。
凹溝は、中央に孔を設けない場合は、互いに中心で交わらない形状とし、孔を設けた場合は、すべての凹溝が孔に連通することがない形状とする。